(57)【要約】【課題】プリント注文の設定を行う場合に、操作性を向上できるデジタルカメラを提供する。【解決手段】デジタルカメラ１は、撮影モードおよび再生モードの他にプリントモードを設定できる。このプリントモードには、プリントボタン１３を押下することで移行でき、プリント設定画面ＧｐをＬＣＤ５に表示して表示中の撮影画像に対するプリント注文の設定を行える。プリントモードに移行すると、フラッシュモードボタン８ｃおよび液晶モニタボタン８ｂに、他のモードと異なる機能を割付けて、保留ボタンおよび削除ボタンとして機能させる。その結果、プリント注文の設定を行う場合に、操作性を向上できる。【選択図】図７
2005217616.tif 000002
【特許請求の範囲】
【請求項１】
撮影モードと再生モードとの設定が可能であり、第１操作部と第２操作部とを有するデジタルカメラであって、
(a)前記撮影モードで撮影して記録された画像を表示可能な表示部と、
(b)前記第１操作部に対する操作入力によって、前記撮影モードおよび前記再生モードとは独立したプリント注文に関するプリント設定モードに設定する設定手段と、
(c)前記プリント設定モードに設定される状態では、前記撮影モードまたは前記再生モードで割当てられていた機能と異なる前記プリント設定モードに対応した機能を前記第２操作部に割当てる制御を行う制御手段と、
を備えることを特徴とするデジタルカメラ。
【請求項２】
請求項１に記載のデジタルカメラにおいて、
前記第２操作部は、一対のボタンを有しており、
前記一対のボタンに対する操作入力によって、前記プリント設定に係るプリント枚数の増減が可能となっていることを特徴とするデジタルカメラ。
【請求項３】
請求項２に記載のデジタルカメラにおいて、
(d)前記表示部の画面における特定部位に、前記プリント枚数を表示させる表示制御手段、
をさらに備え、
前記一対のボタンは、前記特定部位の近傍に配設されることを特徴とするデジタルカメラ。
【請求項４】
請求項１ないし請求項３のいずれかに記載のデジタルカメラにおいて、
(e)前記第１操作部が前記プリント設定モードで操作される場合には、前記表示部に表示中の画像に対するプリント設定の内容を記録媒体に記録するとともに、前記表示中の画像に対して直前または直後に記録された画像のプリント設定画面に切替わる手段、
をさらに備えることを特徴とするデジタルカメラ。
【請求項５】
請求項１に記載のデジタルカメラにおいて、
前記第２操作部は、一対のボタンを有しており、
前記一対のボタンに対する操作入力によって、前記表示部に表示中の画像よりも以前または以後に記録された画像のプリント設定画面に遷移することを特徴とするデジタルカメラ。
【請求項６】
請求項５に記載のデジタルカメラにおいて、
前記操作入力によって遷移したプリント設定画面においては、遷移前のプリント設定画面で設定されていたプリント条件が継承されて設定されることを特徴とするデジタルカメラ。
【請求項７】
請求項６に記載のデジタルカメラにおいて、
前記操作入力によって遷移したプリント設定画面においては、遷移前のプリント設定画面から継承されたプリント条件は変更可能であることを特徴とするデジタルカメラ。
【請求項８】
請求項１に記載のデジタルカメラにおいて、
前記第２操作部は、前記制御手段によりデフォルトのプリント条件を設定する機能が割当てられた所定のボタンを有することを特徴とするデジタルカメラ。
【請求項９】
請求項１に記載のデジタルカメラにおいて、
前記第２操作部は、前記制御手段によりプリント注文内容を削除する機能が割当てられた所定のボタンを有することを特徴とするデジタルカメラ。
【請求項１０】
請求項９に記載のデジタルカメラにおいて、
(f)前記所定のボタンに対する操作入力に応答して、前記表示部に表示中の画像よりも以前または以後に記録された画像のプリント設定画面に遷移する遷移手段、
をさらに備えることを特徴とするデジタルカメラ。
【請求項１１】
請求項１０に記載のデジタルカメラにおいて、
前記遷移手段により遷移した直後のプリント設定画面においては、プリント枚数が少なくとも１枚に設定されることを特徴とするデジタルカメラ。
【請求項１２】
請求項１に記載のデジタルカメラにおいて、
前記第２操作部は、前記プリント設定モードにおいて前記画像のデータを削除する機能が割当てられる特定のボタンを有することを特徴とするデジタルカメラ。
【請求項１３】
請求項１２に記載のデジタルカメラにおいて、
前記特定のボタンに対する操作入力によって、前記再生モードにおいても前記画像のデータの削除が可能となっていることを特徴とするデジタルカメラ。
【請求項１４】
請求項１に記載のデジタルカメラにおいて、
前記第２操作部は、前記表示部の近傍に配設されており、
前記表示部では、前記制御手段により前記プリント設定モードにおいて前記第２操作部に割当てられている機能を示す表示が、前記第２操作部に対応した位置にて行われることを特徴とするデジタルカメラ。
【発明の詳細な説明】
【技術分野】
【０００１】
本発明は、撮影モードと再生モードとの設定が可能なデジタルカメラに関する。
【背景技術】
【０００２】
デジタルカメラにおけるプリント指定の技術が、例えば特許文献１に開示されている。この技術では、デジタルカメラを再生モードに設定し、再生モードにおいてメニュー指定を行うことによって、プリントメニューを呼び出しプリント指定(プリント注文)できるようになっている。
【０００３】
しかし、上記のプリント指定の技術では、再生メニューの下位層に設けられているプリントメニューを呼び出すために、多くのボタン操作が必要で、操作が煩雑となるという問題がある。
【０００４】
そこで、この問題を解決する技術として、例えば特許文献２には、プリント注文を行うための専用スイッチ(ＤＰＯＦ(R)ボタン)を押下するだけで、デジタルカメラの表示部に現在表示されている静止画のプリント指定を行え、プリント注文枚数が表示されるデジタルカメラが開示されている。
【０００５】
【特許文献１】特開２０００−２９５５６２号公報
【特許文献２】特開２００２−２２３３７９号公報
【発明の開示】
【発明が解決しようとする課題】
【０００６】
上記の特許文献２に記載されるデジタルカメラでは、プリント指定された内容を記録する注文ファイルが簡単に作成できるものの、そのプリント指定はモード切替を伴わずに再生モードで行われるため、上記のＤＰＯＦボタン以外の操作部材(スイッチなど)は、再生モードに適した設定となっており、プリント指定操作について適切なユーザインターフェースが構築されているとは限らない。
【０００７】
ここで、このユーザインターフェースを向上させるためには、ＤＰＯＦボタン以外でプリント指定操作のために利用される専用の操作部材を新たに設ければ良いが、これでは、この専用の操作部材分だけデジタルカメラの部材が増えるため、かえってデジタルカメラの操作性が悪化してしまう。さらに、操作部材が増加すると、デジタルカメラが大型化することとなる。
【０００８】
一方、上記専用の操作部材を設けない場合には、ＤＰＯＦボタンのみでプリント指定操作を行うこととなるが、１のボタンのみで様々なプリント指定の操作をカバーするには複雑な操作が必要となるため、デジタルカメラの操作性が悪化してしまう。
【０００９】
本発明は、上記課題に鑑みてなされたものであり、プリント注文の設定を行う場合に、操作性を向上できるデジタルカメラを提供することを目的とする。
【課題を解決するための手段】
【００１０】
上記の課題を解決するため、請求項１の発明は、撮影モードと再生モードとの設定が可能であり、第１操作部と第２操作部とを有するデジタルカメラであって、(a)前記撮影モードで撮影して記録された画像を表示可能な表示部と、(b)前記第１操作部に対する操作入力によって、前記撮影モードおよび前記再生モードとは独立したプリント注文に関するプリント設定モードに設定する設定手段と、(c)前記プリント設定モードに設定される状態では、前記撮影モードまたは前記再生モードで割当てられていた機能と異なる前記プリント設定モードに対応した機能を前記第２操作部に割当てる制御を行う制御手段とを備える。
【００１１】
また、請求項２の発明は、請求項１の発明に係るデジタルカメラにおいて、前記第２操作部は、一対のボタンを有しており、前記一対のボタンに対する操作入力によって、前記プリント設定に係るプリント枚数の増減が可能となっている。
【００１２】
また、請求項３の発明は、請求項２の発明に係るデジタルカメラにおいて、(d)前記表示部の画面における特定部位に、前記プリント枚数を表示させる表示制御手段をさらに備え、前記一対のボタンは、前記特定部位の近傍に配設される。
【００１３】
また、請求項４の発明は、請求項１ないし請求項３のいずれかの発明に係るデジタルカメラにおいて、(e)前記第１操作部が前記プリント設定モードで操作される場合には、前記表示部に表示中の画像に対するプリント設定の内容を記録媒体に記録するとともに、前記表示中の画像に対して直前または直後に記録された画像のプリント設定画面に切替わる手段をさらに備える。
【００１４】
また、請求項５の発明は、請求項１の発明に係るデジタルカメラにおいて、前記第２操作部は、一対のボタンを有しており、前記一対のボタンに対する操作入力によって、前記表示部に表示中の画像よりも以前または以後に記録された画像のプリント設定画面に遷移する。
【００１５】
また、請求項６の発明は、請求項５の発明に係るデジタルカメラにおいて、前記操作入力によって遷移したプリント設定画面においては、遷移前のプリント設定画面で設定されていたプリント条件が継承されて設定される。
【００１６】
また、請求項７の発明は、請求項６の発明に係るデジタルカメラにおいて、操作入力によって遷移したプリント設定画面においては、遷移前のプリント設定画面から継承されたプリント条件は変更可能である。
【００１７】
また、請求項８の発明は、請求項１の発明に係るデジタルカメラにおいて、前記第２操作部は、前記制御手段によりデフォルトのプリント条件を設定する機能が割当てられた所定のボタンを有する。
【００１８】
また、請求項９の発明は、請求項１の発明に係るデジタルカメラにおいて、前記第２操作部は、前記制御手段によりプリント注文内容を削除する機能が割当てられた所定のボタンを有する。
【００１９】
また、請求項１０の発明は、請求項９の発明に係るデジタルカメラにおいて、(f)前記所定のボタンに対する操作入力に応答して、前記表示部に表示中の画像よりも以前または以後に記録された画像のプリント設定画面に遷移する遷移手段をさらに備える。
【００２０】
また、請求項１１の発明は、請求項１０の発明に係るデジタルカメラにおいて、前記遷移手段により遷移した直後のプリント設定画面においては、プリント枚数が少なくとも１枚に設定される。
【００２１】
また、請求項１２の発明は、請求項１の発明に係るデジタルカメラにおいて、前記第２操作部は、前記プリント設定モードにおいて前記画像のデータを削除する機能が割当てられる特定のボタンを有する。
【００２２】
また、請求項１３の発明は、請求項１２の発明に係るデジタルカメラにおいて、前記特定のボタンに対する操作入力によって、前記再生モードにおいても前記画像のデータの削除が可能となっている。
【００２３】
また、請求項１４の発明は、請求項１の発明に係るデジタルカメラにおいて、前記第２操作部は、前記表示部の近傍に配設されており、前記表示部では、前記制御手段により前記プリント設定モードにおいて前記第２操作部に割当てられている機能を示す表示が、前記第２操作部に対応した位置にて行われる。
【発明の効果】
【００２４】
請求項１ないし請求項１４の発明によれば、第１操作部に対する操作入力によって撮影モードおよび再生モードとは独立したプリント注文に関するプリント設定モードに設定し、プリント設定モードに設定される状態では、撮影モードまたは再生モードで割当てられていた機能と異なるプリント設定モードに対応した機能を第２操作部に割当てる。その結果、プリント注文の設定を行う場合に、操作性を向上できる。
【００２５】
特に、請求項２の発明においては、一対のボタンに対する操作入力によって、プリント設定に係るプリント枚数の増減が可能となっているため、プリント枚数の設定を簡易に行える。
【００２６】
また、請求項３の発明においては、一対のボタンは表示部の画面でプリント枚数を表示する特定部位の近傍に配設されるため、プリント枚数の設定が一層簡易に行える。
【００２７】
また、請求項４の発明においては、第１操作部がプリント設定モードで操作される場合には表示部に表示中の画像に対するプリント設定の内容を記録媒体に記録するとともに、表示中の画像に対して直前または直後に記録された画像のプリント設定画面に切替わるため、プリント設定画面を次々に切替える際に操作性が向上する。
【００２８】
また、請求項５の発明においては、一対のボタンに対する操作入力によって、表示部に表示中の画像よりも以前または以後に記録された画像のプリント設定画面に遷移するため、プリント注文の設定について一層操作性が向上する。
【００２９】
また、請求項６の発明においては、操作入力によって遷移したプリント設定画面では遷移前のプリント設定画面で設定されていたプリント条件が継承されて設定されるため、プリント条件の設定の手間を省ける。
【００３０】
また、請求項７の発明においては、操作入力によって遷移したプリント設定画面では遷移前のプリント設定画面から継承されたプリント条件は変更可能であるため、所望のプリント条件を設定できる。
【００３１】
また、請求項８の発明においては、第２操作部は、制御手段によりデフォルトのプリント条件を設定する機能が割当てられた所定のボタンを有するため、プリント条件の設定の手間を省ける。
【００３２】
また、請求項９の発明においては、第２操作部は、制御手段によりプリント注文内容を削除する機能が割当てられた所定のボタンを有するため、プリント注文しないという設定を簡易に行える。
【００３３】
また、請求項１０の発明においては、所定のボタンに対する操作入力に応答して表示部に表示中の画像よりも以前または以後に記録された画像のプリント設定画面に遷移する。その結果、操作の数を減少できるため、操作性が向上する。
【００３４】
また、請求項１１の発明においては、遷移手段により遷移した直後のプリント設定画面においてはプリント枚数が少なくとも１枚に設定されている。ユーザは各画像をプリント注文するという前提でプリント設定モードに遷移しているため、プリント枚数が少なくとも１枚に設定されていることで利便性が向上する。
【００３５】
また、請求項１２の発明においては、特定のボタンに対する操作入力によって再生モードにおいても画像のデータの削除が可能となっているため、プリント注文する価値がなく、保存する価値のない画像データの削除が容易となる。
【００３６】
また、請求項１３の発明においては、特定のボタンに対する操作入力によって再生モードにおいても画像のデータの削除が可能となっている。その結果、再生モードおよびプリント設定モードとで削除機能を有するボタンが共通するため、画像データの削除に関する操作ミスを減少できる。
【００３７】
また、請求項１４の発明においては、表示部では制御手段によりプリント設定モードにおいて第２操作部に割当てられている機能を示す表示が第２操作部に対応した位置にて行われるため、ボタンの機能を直感的に理解でき、詳細設定を簡易に行える。
【発明を実施するための最良の形態】
【００３８】
以下、本発明の実施形態を図面に基づいて説明する。
【００３９】
＜構成概要＞
図１および図２は、本発明の実施形態に係るデジタルカメラ１の外観構成を示す図である。図１は正面側からみた概略斜視図であり、図２は背面側からみた概略斜視図である。
【００４０】
図１および図２に示すように、デジタルカメラ１は、薄型の略直方体形状を有している。
【００４１】
図１に示すように、デジタルカメラ１は、その正面側に撮影レンズ２と光学ファインダー４とフラッシュ６とを備えており、その上面側に電源ボタン３とシャッタボタン（レリーズボタン）９とマイク１２とを備えている。また、図２に示すように、デジタルカメラ１は、その背面側に液晶表示部（以下、ＬＣＤという。）５とボタン群７，８とモード切替ボタン１１とプリントボタン１３とを備えている。ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、ボタン群８はメニューボタン８ａと液晶モニタボタン８ｂとフラッシュモードボタン８ｃとを有している。これらのボタン群７、８は、第２操作部として機能することとなる。さらに、図１および図２に示すように、デジタルカメラ１は、その側方の面に蓋１４とＤＣ入力端子１５とＵＳＢ端子１６とＡＶ出力端子１７とを備えている。
【００４２】
後述するように、デジタルカメラ１は、撮影レンズ２からの被写体像をＣＣＤ（撮像素子）２０（図３）によって光電変換することなどによって、被写体に関する画像データを取得する。
【００４３】
また、電源ボタン３は、電源のオン操作およびオフ操作を受け付けるために用いられる。具体的には、電源ボタン３を押下するごとにオン状態への移行とオフ状態への移行とが交互に繰り返される。
【００４４】
シャッタボタン９はユーザ（操作者）による半押し状態（以下、Ｓ１状態とも称する）と全押し状態（以下、Ｓ２状態とも称する）とを区別して検出可能な２段階押し込みスイッチとなっており、半押し(Ｓ１)状態のときに自動合焦制御を開始し、全押し(Ｓ２)状態のときに記録用画像を撮影するための本撮影動作を開始する。
【００４５】
ＬＣＤ５は、本撮影動作前のプレビュー表示（ライブビュー表示とも称する）及び記録画像の再生表示等を行う。また、ＬＣＤ５は、所定数（ここでは３２０×２４０）の表示画素を有しており、カラー画像を表示することができる。このＬＣＤ５は、撮影モード（後述）で撮影して記録された撮影画像を表示可能な表示部として機能する。
【００４６】
ライブビュー表示では、デジタルカメラ１の電源オン後や本撮影が完了すると、１／３０秒ごとに低解像度で被写体の撮像を繰り返し、撮像画像をＬＣＤ５に動画的態様で表示する。これにより、操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００４７】
また、モード切替ボタン１１は、これを押下することにより、１コマ撮影モード、連写モード、動画モードおよび再生モードをサイクリックに切り替えられる（図２２参照）。ここで、１コマ撮影モード、連写モードおよび動画モードは、撮影モードに含まれる。この撮影モードとは、写真撮影を行うモードであり、再生モードとは、メモリカードに記録された撮影画像をＬＣＤ５に再生表示するモードである。本実施形態のデジタルカメラ１では、電源ボタン３の押下による電源オン時には撮影モードに設定されているが、モード切替ボタン１１を押下することよって再生モードに切替えることができ、さらにモード切替ボタン１１を押下することにより撮影モードの１コマ撮影モードに移行する。
【００４８】
メニューボタン８ａは、ＬＣＤ５へのメニューの表示および非表示を切り替える機能を有している。たとえば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００４９】
液晶モニタボタン８ｂは、液晶モニタであるＬＣＤ５の表示・非表示を切り替えるためのボタンである。液晶モニターボタン８ｂが押下されるごとに、ＬＣＤ５に画像等が表示された状態（表示状態）と表示されない状態（非表示状態）とが交互に切り替わる。非表示状態にしておけば消費電力を低減できる。
【００５０】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００５１】
また、マイク１２は、動画撮影、ボイスメモ、ボイスレコーディング、アフターレコーディング（アフレコ）時において、音声データを取得する（録音する）ために用いられる。
【００５２】
プリントボタン１３は、プリントモード（後述）に移行させるためのボタンである。ある。このプリントボタン１３は、第１操作部として機能する。
【００５３】
蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカード９０を装着するメモリカード装着部とが設けられている。電源電池ＢＴおよびメモリカード９０は、それぞれ、電池室およびメモリカード装着部に対して着脱自在に装着される。本撮影によって得られる画像データ等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００５４】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００５５】
ＡＶ出力端子１７は、テレビなどの外部映像音響機器（ＡＶ機器）に接続するための端子である。所定のＡＶコードを用いてこのＡＶ出力端子１７と外部映像音響機器側の入力端子とを接続することによって、その外部映像音響機器に画像および／または音声を出力することができる。
【００５６】
次に、図３を参照しつつ、デジタルカメラ１の内部構成について説明する。図３は、デジタルカメラ１の内部機能を示すブロック図である。
【００５７】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００５８】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００５９】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００６０】
また、マイク１２から得られる音声信号は、音声処理部５３に入力される。音声処理部５３に入力された音声信号は音声処理部５３内に設けられたＡ／Ｄ変換器（不図示）によりデジタル信号に変換され、一時的にバッファメモリ５４に格納される。
【００６１】
操作部３０は、上述した電源ボタン３、ボタン群７、８、シャッタボタン９、モード切替ボタン１１等を含む操作部であり、ユーザがデジタルカメラ１の設定状態を変更操作する際や撮影操作を行う際等に用いられる。
【００６２】
電源４０は、デジタルカメラ１に対する電力供給源である。デジタルカメラ１は、リチウムイオン電池などの二次電池を電源電池ＢＴとして用いて駆動される。
【００６３】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００６４】
全体制御部５０は、画像処理部５１、圧縮／伸張部５２および音声処理部５３を有している。これらの各処理部５１，５２，５３は、マイクロコンピュータが所定のプログラムを実行することにより実現される機能部である。
【００６５】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００６６】
このような構成を有する全体制御部５０によって、撮影モード、再生モードおよびプリントモードでの処理が行われる。例えば、撮影モードにおいてシャッターボタン９が操作者によって半押し（Ｓ１状態）されると、ＣＣＤ２０から出力される画像データに基づきＡＦ評価値を求め、周知の山登り方式によって合焦位置に撮影レンズを移動させる。また、ＣＣＤ２０で読みとった被写体の輝度情報に基づいて、本撮影時のシャッタースピードと絞りの値とオートホワイトバランスのゲイン設定値とを決定する。
【００６７】
一方、全体制御部５０は、撮影モードにおいてシャッタボタンが全押し（Ｓ２状態）されると、ＣＣＤ２０の解像度を高解像度に設定した後に被写体を撮像し、ＣＣＤ２０で取得された撮影画像データに基づき圧縮／伸張部５２で圧縮画像を生成する。そして、圧縮された高解像度の画像データは、記録媒体として機能するメモリカード９０に記録されることとなるが、このメモリカード９０におけるデータ構造を以下で説明する。
【００６８】
図４は、メモリカード９０のデータ配列を示す図である。メモリカード９０には、デジタルカメラ１によって記録された静止画像および動画像の各コマが順に配列して記憶される。各コマは、ファイル属性ＡＴとタグ情報ＴＧとＪｐｅｇ形式で圧縮された高解像度画像データＨＤ(１６００×１２００画素)とサムネイル表示用のサムネイル画像データＳＤ（３２０×２４０画素)とが記録されている。このファイル属性ＡＴでは、読み取り専用属性(Ｒ)、アーカイブ属性(Ａ)、システムファイル属性(Ｓ)および隠しファイル属性(Ｈ)が設定可能となっている。ユーザによってファイルのプロテクトが設定される場合には、読み取り専用属性が設定されることとなる。また、タグＴＧでは、ファイル名、撮影日時、撮影に使用したデジタルカメラのシリアルナンバーおよび画像データに関連付けされた音声ファイルの情報が記録されている。
【００６９】
また、メモリカード９０には、暗号化されているプリント単価情報が、枚数と単価との関係を記述したテーブルＴＢとして記憶されている。このプリント単価テーブルＴＢを参照すると、例えばプリントサイズがＬ版で９枚以下の場合には、プリント単価が￥４０に設定され、例えばプリントサイズが２Ｌ版で５０枚以上の場合にはプリント単価が￥５０に設定されることとなる。これにより、後述のプリント料金がＬＣＤ５に表示される。
【００７０】
また、モード切替ボタン１１の押下によって撮影モードから再生モードに移行すると、メモリカード９０内で最も大きなコマ番号の画像つまり直近に撮影された画像のデータが読み出された後、圧縮／伸張部５２でデータ伸張され、ＬＣＤ５に画像表示される。この再生モードでは、左ボタン７ｃ・右ボタン７ｄの押下によりコマの送り・戻しが可能である。
【００７１】
カードインタフェース（カードＩ／Ｆ）６０は、デジタルカメラ１側面の挿入装着部に対して装着されるメモリカード９０への画像データの書込み及び読出しを行うためのインタフェースである。
【００７２】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００７３】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００７４】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００７５】
＜プリントモードについて＞
プリントボタン１３がユーザによって押下されると、プリント設定を行うためのプリントモードに移行し、プリント設定画面が表示される。すなわち、プリントボタン（第１操作部）に対する操作入力によって撮影モードおよび再生モードとは独立したプリント注文に関するプリント設定モードに設定される。
【００７６】
プリントモードでは、プリント設定に関するプリント注文ファイルが作成されるが、このプリント注文ファイルについて、まず説明する。
【００７７】
図５は、プリント注文ファイルＰｆを説明するための図である。
【００７８】
メモリカード９０には、撮影画像フォルダＦａ内に複数の画像ファイルＧｆが格納されるとともに、撮影画像フォルダＦａと異なるフォルダＦｂにプリント注文ファイルＰｆが格納されている。
【００７９】
このプリント注文ファイルＰｆは、図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー情報Ｄｆ６で構成されている。ここで、ベンダー情報Ｄｆ６とは、デジタルカメラを製造するメーカー各社で独自に定義される情報である。
【００８０】
以上のプリント注文ファイルＰｆを作成することにより、プリント注文時のユーザーの労力を削減できるが、このプリント注文ファイルＰｆにおける各種の情報Ｄｆ１〜Ｄｆ６を設定するためのプリント設定画面を、次で説明する。
【００８１】
図７は、プリント設定画面を説明するための図である。
【００８２】
ＬＣＤ５に表示されるプリント設定画面Ｇｐでは、プリント対象の画像Ｇｑに重畳して、プリント注文する画像の合計枚数を表示する合計枚数表示Ｇｐ１と、現在ＬＣＤ５に表示されている画像に対するプリント注文枚数をＬＣＤ５の画面の右上（特定部位）に示す注文枚数表示Ｇｐ２とが行われる。すなわち、プリント設定の対象となる撮影画像と当該撮影画像に対するプリント設定の有無とがＬＣＤ５に表示されることとなる。
【００８３】
一方、プリントボタン１３の押下によってプリントモードに移行すると、フラッシュモードボタン８ｃが保留ボタンとして機能し、且つ、液晶モニタボタン８ｂが削除ボタンとして機能することとなるが、プリント設定画面Ｇｐにおいては、これらの機能が割付けられたことを明示する「保留」表示Ｇｐ３および「削除」表示Ｇｐ４が行われる。すなわち、プリントモードに設定される状態では、撮影モードまたは再生モードで割当てられていた機能と異なるプリント設定モードに対応した機能をボタン群（第２操作部）８に割当てる。そして、ＬＣＤ５では、プリントモードにおいて第２操作部に割当てられている機能を示す表示Ｇｐ３、Ｇｐ４が、ＬＣＤ５の近傍に配設される各ボタン８ｂ、８ｃに対応した位置にて行われることとなる。
【００８４】
デジタルカメラ１においては、プリントイメージを優先するためにプリントサイズの縦横比に則して画像Ｇｑを表示するが、ＬＣＤ５の画面サイズおよびプリントサイズの縦横比が相違する場合には、例えばＬＣＤ５の画面の両端に余白部分Ｇｐｅ(平行斜線部)を表示して調整される。また、画像Ｇｑに対して撮影した日付の写し込みを行う場合には、写し込まれる画像の部位に例えば「'03／5／7」のような日付表示Ｇｐ５が行われる。
【００８５】
そして、図７に示すプリント設定画面Ｇｐにおいて、右ボタン７ｄまたはプリントボタン１３が押下されることによって、図８に示すように次の画像(コマ)Ｇｒが表示されることとなる(後で詳述)。
【００８６】
次に、プリントモードにおける動作を以下で説明する。
【００８７】
図９〜図１１は、プリント設定画面Ｇｐ(図７)をＬＣＤ５に表示するプリントモードの動作を説明するための図である。ここで、図９はユーザの操作に対する画面遷移の関係を示しており、図１０および図１１は、コマ番号(ｎ)の画像を表示するプリント設定画面ＧＮ１１を中心として他の画面に遷移する様子を示している。以下の説明では、コマ番号(ｎ)の画像を、プリントモードに移行した直後に最後(最大)のコマ番号を有する画像と考えることとする。なお、図１１において、参照符号がＧＮで始まるブロックは表示画面に関する状態を示しており、参照符号がＳＴで始まるブロックは、デジタルカメラ１の動作を示している。
【００８８】
以下では、図９に記載される各項目(１)〜(１１)毎に、図１０および図１１を参照しつつプリントモードの動作を説明する。
【００８９】
(１)左ボタン７ｃが押下されると、プリント設定画面で設定されている設定内容を確定させて、前のコマを表示するプリント設定画面に移行する。この場合には、左ボタン７ｃを押下する前の画像で選択されていたプリント注文枚数が、プリント合計枚数に加算され、合計枚数が更新される。
【００９０】
すなわち、図１１に示すコマ番号(ｎ)の画像を表示するプリント設定画面ＧＮ１１において、左ボタン７ｃが押下された場合には、コマ番号(ｎ)の画像に対するプリント注文の記録処理ＳＴ１２(後で詳述)を行い、コマ番号(ｎ−１)の画像のプリント設定画面ＧＮ１２に移行する。
【００９１】
具体的には、例えば、図８に示すようにプリント設定画面Ｇｐが表示される際に、左ボタン７ｃが押下された場合には、図１２に示すように、前のコマに該当する画像ＧｑがＬＣＤ５に表示されるとともに、合計枚数表示Ｇｐ１では、図８の合計枚数表示Ｇｐ１に示す「２１枚」よりも１枚増加した合計枚数「２２枚」が表示される。
【００９２】
(２)右ボタン７ｄが押下されると、プリント設定画面で設定されている設定内容を確定させて、次のコマを表示するプリント設定画面に移行する。この場合には、右ボタン７ｄを押下する前の画像で選択されていたプリント注文枚数が、プリント合計枚数に加算され、合計枚数が更新されることとなる。
【００９３】
すなわち、図１１に示すコマ番号(ｎ−１)の画像を表示するプリント設定画面ＧＮ１２において、右ボタン７ｄが押下された場合には、コマ番号(ｎ−１)の画像に対するプリント注文の記録処理ＳＴ１３(後で詳述)を行い、コマ番号(ｎ)の画像のプリント設定画面ＧＮ１１に移行する。
【００９４】
具体的には、例えば、図７に示すようにプリント設定画面Ｇｐが表示される際に、右ボタン７ｄが押下された場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００９５】
以上のように、一対のボタンとして機能する左・右ボタン７ｃ、７ｄに対する操作入力によってＬＣＤ５に表示中の撮影画像に対して１つ前のコマ番号の撮影画像（以前に記録された画像）または１つ後のコマ番号の撮影画像（以後に記録された画像）のプリント設定画面に遷移することとなる。ここで、プリント設定画面に遷移した際には、プリント設定画面Ｇｐ(図８)におけるプリント枚数(プリント設定条件)として、遷移前のプリント設定画面Ｇｐ(図７)で設定されていたプリント枚数(プリント設定条件)である、例えば「１枚」が継承されて、注文枚数表示Ｇｐ２にて「１枚」が表示されることとなる。
【００９６】
(３)上ボタン７ａが押下されると、図１０に示すように現在ＬＣＤ５に表示されているコマ(画像)のプリント枚数を増加させる。これにより、プリント枚数表示Ｇｐ２で示される枚数が増加することとなる。
【００９７】
(４)下ボタン７ｂが押下されると、図１０に示すように現在ＬＣＤ５に表示されているコマ(画像)のプリント枚数を減少させる。これにより、プリント枚数表示Ｇｐ２で示される枚数が減少することとなる。なお、プリント枚数のデフォルト値は１枚に設定されており、プリント枚数の下限値は０枚である。
【００９８】
以上のように、一対のボタンとして機能する上・下ボタン７ａ、７ｂに対する操作入力によってプリント設定に係るプリント枚数の増減が可能となっている。そして、これらの上・下ボタン７ａ、７ｂは、ＬＣＤ５の画面の右上(特定部位)でプリント枚数を表示している注文枚数表示Ｇｐ２(図７)の近傍に配設されているため、プリント枚数の設定が一層簡易に行えることとなる。
【００９９】
(５)メニューボタン８ａが押下されると、図１０に示すようにプリントメニュー画面(後述)をＬＣＤ５に表示する。
【０１００】
(６)削除ボタン８ｂが押下されると、現在ＬＣＤ５に表示されているコマ(画像)を削除して、次のコマを表示するプリント設定画面に移行する。この削除ボタン８ｂは、撮影された画像データを削除するファンクションキーとして機能する。ただし、削除ボタン８ｂが押下されても、プロテクトがかけられた、具体的には図４に示すファイル属性で読み取り専用属性に設定された画像の削除は行えないものとする。
【０１０１】
すなわち、削除ボタン８ｂは、プリント設定モードにおいて撮影画像のデータを削除する機能が割当てられる特定のボタンとして機能する。そして、この削除ボタン８ｂに対する操作入力によって再生モードにおいても撮影画像のデータの削除が可能となっている。これにより、再生モードおよびプリントモードとで削除機能を有するボタンが共通するため、撮影画像データの削除に関する操作ミスを減少できる。
【０１０２】
例えば、図１１に示すコマ番号(ｎ−１)の画像を表示するプリント設定画面ＧＮ１２において、削除ボタン８ｂが押下された場合には、コマ番号(ｎ−１)の画像に対する削除処理ＳＴ１４を行い、コマ番号(ｎ)の画像を表示するプリント設定画面ＧＮ１１に移行する。
【０１０３】
なお、図１１に示す最大のコマ番号(ｎ)の画像を表示するプリント設定画面ＧＮ１１において削除ボタン８ｂが押下された場合には、コマ番号(ｎ)の画像に対する削除処理ＳＴ１１を行った後、その削除処理後の最大コマ番号(ｎ−１)の画像を表示するプリント設定画面ＧＮ１２に移行する。
【０１０４】
(７)保留ボタン８ｃが押下されると、現在ＬＣＤ５に表示されているコマ(画像)のプリント枚数を０枚にして、次のコマを表示するプリント設定画面に移行する。この保留ボタン８ｃは、プリント注文内容を削除する機能が割当てられる所定のボタンとして働く。そして、保留ボタン８ｃに対する操作入力に応答して、ＬＣＤ５に表示中の画像の次のコマ番号の画像(表示中の画像よりも以後に記録された画像)に関するプリント設定画面に遷移する。なお、表示中の画像の次のコマ番号の画像に限らず、前のコマ番号の画像(表示中の画像よりも以前に記録された画像)に関するプリント設定画面に遷移させるようにしても良い。
【０１０５】
すなわち、図１１に示すコマ番号(ｎ−１)の画像を表示するプリント画面ＧＮ１２において、保留ボタン８ｃが押下された場合には、コマ番号(ｎ−１)の画像に関するプリント注文内容をチェックし、プリントの注文枚数が１枚以上であるときには、コマ番号(ｎ−１)の画像に関する注文内容を削除、つまりプリント枚数を０枚に設定する処理ＳＴ１７を行う。そして、コマ番号(ｎ)の画像を表示するプリント設定画面ＧＮ１１に移行する。ここで、移行した直後のコマ番号(ｎ)のプリント設定画面ＧＮ１１においては、プリント枚数がデフォルト値の１枚に仮設定され、注文枚数表示Ｇｐ２(図７参照)に「１枚」が表示される。なお、デフォルト値が２枚以上に設定されている場合には、保留ボタン８ｃの押下によって遷移した直後のプリント設定画面ではプリント枚数が２枚以上に設定される。すなわち、移行後には、プリント枚数が少なくとも１枚に設定されるため、利便性が向上することとなる。
【０１０６】
なお、図１１に示すコマ番号(ｎ)の画像を表示するプリント設定画面ＧＮ１１において、保留ボタン８ｃが押下された場合には、コマ番号(ｎ)の画像に関するプリント注文ファイルの注文内容をチェックし、プリントの注文枚数が１枚以上であるときには、コマ番号(ｎ)の画像に関する注文内容を削除、つまりプリント枚数を０枚に設定する処理ＳＴ１６を行う。ここでは、コマ番号(ｎ)が最大で次のコマが存在しないため、コマ番号(ｎ)の画像を表示するプリント設定画面ＧＮ１１に復帰する。
【０１０７】
(８)プリントボタン１３が押下されると、プリント設定画面で設定されている設定内容を確定させて、次のコマを表示するプリント設定画面に移行する。
【０１０８】
すなわち、図１１に示すコマ番号(ｎ−１)の画像を表示するプリント設定画面ＧＮ１２において、プリントボタン１３が押下された場合には、コマ番号(ｎ−１)の画像に対する注文処理ＳＴ１３(後で詳述)を行い、コマ番号(ｎ)の画像を表示するプリント設定画面ＧＮ１１に移行する。
【０１０９】
具体的には、例えば、図７のプリント設定画面Ｇｐが表示されている時に、プリントボタン１３が押下された場合は、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【０１１０】
以上のように、プリントボタン(第１操作部）１３がプリントモードで操作される場合には、ＬＣＤ５に表示中の画像に対するプリント設定の内容を登録するとともに、表示中のコマ番号(ｎ−１)の画像の次のコマ番号(ｎ)の撮影画像(コマ番号(ｎ−１)の画像の直後に記録された画像)に関するプリント設定画面に切替わる。なお、表示中の画像の前のコマ番号(ｎ−２)の撮影画像(コマ番号(ｎ−１)の画像の直前に記録された画像)に関するプリント設定画面に切替えるようにしても良い。
【０１１１】
なお、図１１に示すコマ番号(ｎ)の画像を表示するプリント設定画面ＧＮ１１において、プリントボタン１３が押下された場合には、コマ番号(ｎ)の画像に対する注文処理ＳＴ１５(後で詳述)を行う。この場合には、コマ番号(ｎ)が最大で次のコマが存在しないため、コマ番号(ｎ)の画像を表示するプリント設定画面ＧＮ１１に復帰する。
【０１１２】
(９)中央(実行)ボタン７ｅが押下されると、図１０に示すような拡大プリントプレビュー画面Ｇｐｗ(図１３参照)に移行する。拡大プリントプレビュー画面Ｇｐｗでは、表示倍率が１倍の画像Ｇｑが表示されるプリント設定画面Ｇｐ(図７参照)に対して、表示倍率が例えば２倍の画像Ｇｑｗが表示される一方、合計枚数表示Ｇｐ１や注文枚数表示Ｇｐ２などのプリント設定情報の表示はそのまま拡大されずに表示される。この拡大プリントプレビュー画面Ｇｐｗをユーザーが視認することによって、画像の詳細な確認が行える。
【０１１３】
(１０)モード切替ボタン１１が押下されると、図１０に示すようにプリント設定画面から抜けて、例えばＲＡＭ５０ａに記憶されている遷移元モードの情報に基づき、プリント設定画面に移行する前の画面(例えば撮影モードのメニュー画面など)に遷移する。
【０１１４】
(１１)シャッターボタン９が押下されると、図１０に示すように１コマ撮影モードに移行してライブビュー表示が行われる。
【０１１５】
以下では、図１１のステップＳＴ１２、ＳＴ１３およびＳＴ１５に関する注文記録動作を説明する。
【０１１６】
図１４は、コマ番号(ｎ)の画像に対するプリント注文記録の動作を示すフローチャートである。
【０１１７】
まず、プリントボタン１３などが押下されると、メモリカード９０内にプリント注文ファイルが存在するかを判定する(ステップＳＰ１)。ここで、プリント注文ファイルが存在する場合には、ステップＳＰ２に進み、存在しない場合にはステップＳＰ４に進む。
【０１１８】
ステップＳＰ２では、注文内容が変更されたかを判定する。例えば上ボタン７ａまたは下ボタン７ｂが押下されることにより、プリント枚数が増加または減少したかを判断する。ここで、注文内容が変更された場合には、ステップＳＰ３に進み、変更されていない場合には、本フローチャートを抜けてプリント注文記録の処理を終了する。
【０１１９】
ステップＳＰ３では、プリント注文対象であるコマ番号(ｎ)の画像の注文内容を、変更された内容によってプリント注文ファイルを更新する。
【０１２０】
ステップＳＰ４では、プリント注文ファイルを新規に作成する。これにより、プリントボタン１３が押下されてプリントモードに移行した場合には、メモリカード９０内にプリント注文ファイルが生成されることとなる。
【０１２１】
ステップＳＰ５では、プリント注文対象であるコマ番号(ｎ)の画像の注文内容をプリント注文ファイルに記録する。
【０１２２】
ステップＳＰ６では、プリント合計枚数を更新する。これにより、プリント設定画面における合計枚数表示Ｇｐ１の表示が変更される。
【０１２３】
以上のプリント注文記録の動作により、ＬＣＤ５に表示中の撮影画像に対するプリント設定が行われると当該プリント設定の内容がメモリカード９０に記録されることとなる。
【０１２４】
以上のデジタルカメラ１では、左ボタン７ｃや右ボタン７ｄを押下することによって、所望の各画像について少なくとも１枚のプリント注文を行えるため、注文漏れを防止できユーザーの利便性が向上することとなる。
【０１２５】
次に、プリント設定画面においてメニューボタン８ａが押下されると、図１５に示すプリントメニュー画面Ｇｐｍに遷移するが、このプリントメニュー画面Ｇｐｍについて説明する。
【０１２６】
図１６は、プリントメニュー画面Ｇｐｍに表示される各項目を説明するための図である。以下では、図１６に記載される各項目(１)〜(７)毎に、プリントメニュー画面の機能を説明する。
【０１２７】
(１)プリント初期設定が指定されると、ボタン群７を用いてプリント指定に関してデフォルトのプリント枚数またはデフォルトのプリントサイズが選択できる。すなわち、デジタルカメラ１では、デフォルトのプリント設定条件が変更可能となっている。
【０１２８】
(２)日付写し込み位置が指定されると、日付表示Ｇｐ５(図７)に対応するプリント画像への日付写し込み位置に関して、画像(画面)の「左下」、画像の「右下」、または日付写し込みを禁止する「なし」を選択できる。
【０１２９】
(３)日付写し込み形式が指定されると、「YY/M/D」、「YYYY/M/D」または「和暦Y/M/D」の形式が選択できる。ただし、日付写し込み位置が「なし」に設定されている場合には、日付写し込み形式の指定を行えない。
【０１３０】
(４)プリント合計枚数が指定されると、「料金を表示」、「枚数を表示」、「サイズ毎の枚数と合計枚数とを表示」または「表示しない」を選択できる。ここで、「料金を表示」が設定されると、図１７(ａ)に示すようにＬＣＤ５に料金の表示Ｇｐ１１が行われ、「枚数を表示」が設定されると、図１７(ｂ)に示すようにＬＣＤ５に合計枚数のみの表示Ｇｐ１２が行われる。また、「サイズ毎の枚数と合計枚数とを表示」が設定されると、図１７(ｃ)に示すようにＬＣＤ５に合計枚数とＬサイズおよび２Ｌサイズそれぞれの枚数の表示Ｇｐ１３が行われ、「表示しない」が設定されると、図１７(ｄ)に示すようにＬＣＤ５に合計枚数の表示を行わない。なお、料金を表示する場合には、例えばメモリカード９０内のプリント単価テーブルＴＢに基づき料金が算出されることとなる。
【０１３１】
(５)インデックスプリントが指定されると、インデックスプリントを「する」または「しない」を選択できる。
【０１３２】
(６)プリント設定のオールリセットが指定されると、「実行する」または「中止」が選択できる。ここで、「実行」が選択された場合には、全てのプリント枚数の設定がプリント初期設定で設定されたデフォルト値に戻ることとなる。
【０１３３】
(７)削除画像の復活が指定されると、「実行する」または「中止」が選択できる。ここで、「実行」が選択された場合でも、メモリカードの容量を有効に活用するため、復活できる画像は直前に削除した画像のみとなっている。
【０１３４】
以上説明したように、図１６に示す各項目ごとに設定を行えるが、この具体例としてプリント初期設定およびプリント合計枚数の設定動作を次で説明する。
【０１３５】
図１８は、プリント初期設定の動作を説明するための図である。本図において、参照符号がＧＮで始まるブロックは表示画面に関する状態を示しており、参照符号がＳＴで始まるブロックは、デジタルカメラ１の処理を示している。
【０１３６】
プリント設定画面が表示される状態ＧＮ１５においてメニューボタン８ａが押下されるとプリントメニュー画面Ｇｐｍが表示される状態ＧＮ１６に移行するが、この状態ＧＮ１６で「プリント初期設定」を選択して実行(中央)ボタン７ｅを押下すると、プリント初期設定を行う画面を表示する状態ＧＮ１７に遷移する。
【０１３７】
この表示状態ＧＮ１７では、プリント枚数の初期設定およびプリントサイズの初期設定が行える。例えば、プリント枚数が２枚に設定されると、最初に画像が表示されるプリント設定画面においては、注文枚数表示Ｇｐ２が「２枚」と表示されることとなる。これにより、初期設定が容易に行えるため、ユーザの利便性が向上する。
【０１３８】
表示状態ＧＮ１７では、上・下ボタン７ａ、７ｂの押下によってプリント枚数の変更が可能であり、左・右ボタン７ｃ、７ｄの押下によってプリントサイズの変更が可能となっている。
【０１３９】
また、表示状態ＧＮ１７において、実行(中央)ボタン７ｅまたはプリントボタン１３が押下されると、初期設定が反映されたプリント設定画面を表示する状態ＧＮ１５に遷移する。一方、保留ボタン７ｃが押下されると、初期設定が反映されないプリント設定画面を表示する状態ＧＮ１５に遷移する。
【０１４０】
図１９および図２０は、プリント合計枚数表示設定の動作を説明するための図である。これらの図において、参照符号がＧＮで始まるブロックは表示画面に関する状態を示しており、参照符号がＳＴで始まるブロックは、デジタルカメラ１の処理を示している。
【０１４１】
プリントメニュー画面Ｇｐｍ(図１５)が表示される状態ＧＮ２０においてメニューボタン８ａが押下された場合には、プリントメニュー画面Ｇｐｍに移行する直前のプリント設定画面（図１７(ａ)〜(ｄ)に示す４種類の画面）のそれぞれに対応するメニュー表示状態ＧＮ２１〜２４に遷移する。このメニュー表示状態ＧＮ２１〜２４では、プリント合計枚数の設定を変更できるようになっており、この設定変更は左・右ボタン７ｃ、７ｄを押下することによって行える。
【０１４２】
金額表示が設定が選択される状態ＧＮ２１において、実行(中央)ボタン７ｅが押下されると、単価設定について「メモリカードから読み取り」を選択する画面を表示する状態ＧＮ２５に遷移する。ここで、実行(中央)ボタン７ｅを押下すると、メモリカード９０の登録情報、つまり図４に示すプリント単価テーブルＴＢを読み取る処理ＳＴ２１を行って、メモリカード９０に登録情報が存在するかを判定する処理ＳＴ２２を行う。この処理ＳＴ２２において、登録情報が存在する場合には、この情報に基づき料金設定内容が表示される状態ＧＮ２７に遷移し、実行(中央)ボタン７ｅの押下で表示内容の更新処理ＳＴ２３が行われる。一方、処理ＳＴ２２において登録情報が存在しない場合には、「メモリカードに料金情報がありません」という警告表示が行われる状態ＧＮ２８に移行する。この状態ＧＮ２８で実行(中央)ボタン７ｅが押下されると状態ＧＮ２６に遷移することとなる。
【０１４３】
一方、状態ＧＮ２５において下ボタン７ｂを押下すると、単価設定について「手動設定」を選択する画面を表示する状態ＧＮ２６に遷移する。ここでは、左・右ボタン７ｃ、７ｄを操作することで金額を増減できるようになっており、上ボタン７ａが押下されると状態ＧＮ２５に移行する。
【０１４４】
＜デジタルカメラ１全般の動作について＞
以上ではプリントモードに関する動作を説明したが、このプリントモードと他のモード（撮影モードや再生モード）との関係などデジタルカメラ１全般の動作について、以下で説明する。
【０１４５】
図２１は、デジタルカメラ１の基本的な動作を示す状態遷移図である。
【０１４６】
まず、デジタルカメラ１の電源がオフの状態から電源ボタン３が押下されるとＲＯＭ５０ｂに記憶されている起動時のモードを判別する状態ＳＴ３１に遷移する。なお、デジタルカメラ１の出荷時は撮影モードに設定されている。
【０１４７】
そして、状態ＳＴ３１で判別されたモードが設定される状態ＳＴ３２に移行する。ここで、デジタルカメラ１のモードとしては、上述したプリントモード、撮影モード（１コマ撮影モード、動画モード、連写モード）および再生モードがあるが、モード切替ボタン１１やプリントボタン１３の押下によって、これら５種類のモードの切替えを行える。この状態ＳＴ３２においてメニューボタン８ａが押下された場合には、各モードに応じた各種メニューの設定が行える画面をＬＣＤ５に表示する状態ＳＴ３３に移行する。
【０１４８】
一方、状態ＳＴ３２において、電源ボタン３が押下されると、現在設定されているモードをＲＯＭ５０ｂに記憶する状態ＳＴ３４を経由して、デジタルカメラ１の電源がオフされる。
【０１４９】
次に、上述した５種類のモードのうちプリントモードと他の４種類のモードとの関係を、状態遷移を表す図２２を参照して説明する。
【０１５０】
１コマ撮影モード、連写モード、動画モードおよび再生モードに設定された状態ＧＮ８１〜８４においては、モード切替ボタン１１の押下によってサイクリックにモード切替が行えるようになっている。なお、動画モードに設定された状態ＧＮ８３から再生モードに設定された状態ＧＮ８４に移行する際には、コマ番号の最も大きな撮影画像がＬＣＤ５に表示される。
【０１５１】
１コマ撮影モード、連写モードおよび動画モードに設定された状態ＧＮ８１〜８３において、プリントボタン１３が押下されると、後で詳述するエラーチェックＳＴ４１を経て、プリントモードに設定された状態ＧＮ８５に遷移する。ここで、状態ＧＮ８５に遷移した直後には、コマ番号の最も大きな撮影画像がＬＣＤ５に表示される。
【０１５２】
また、再生モードに設定された状態ＧＮ８４において、プリントボタン１３が押下されると、プリントモードに設定された状態ＧＮ８５に遷移する。ここで、状態ＧＮ８５に遷移した直後には、状態ＧＮ８４でＬＣＤ５に表示されていた再生画像と同一の画像が表示される。この状態ＧＮ８４において、シャッターボタン９が押下されると、１コマ撮影モードに設定された状態ＧＮ８１に移行する。
【０１５３】
プリントモードが設定される状態ＧＮ８５において、プリントボタン１３が押下されても、上述したようにプリント注文内容が更新される処理等が行われるが、プリントモードの設定は維持されることとなる。また、状態ＧＮ８５において、シャッターボタン９が押下される場合には、１コマ撮影モードに設定された状態ＧＮ８１に移行する。
【０１５４】
図２３は、上記の状態ＳＴ４１に対応するエラーチェックの動作を示すフローチャートである。
【０１５５】
まず、メモリカード９０に撮影画像が保存されているか否かを判定する（ステップＳＴ５１）。ここで、撮影画像が保存されている場合には、ステップＳＴ５２に進み、保存されていない場合には、ステップＳＴ５３に進む。
【０１５６】
ステップＳＴ５２では、コマ番号の最も大きな撮影画像を指定して画像ファイル（データ）を読み出す。そして、読出しが完了すると、プリントモードに設定された状態ＧＮ８５（図２２）に遷移する。なお、ステップＳＴ５２でプリントボタン１３が押下されても、プリントボタン１３を無視してファイル読み出しを続ける。
【０１５７】
ステップＳＴ５３では、エラーチェックＳＴ４５に移行する前の遷移元のモード（１コマ撮影モード、連写モードまたは動画モード）を記憶する。
【０１５８】
ステップＳＴ５４では、「メモリカードに画像がありません」という警告表示をＬＣＤ５で行う。そして、２秒の経過、実行(中央)ボタン７ｅ、プリントボタン１３またはモード切替ボタン１１の押下に応答してステップＳＴ５３で記憶した遷移元のモードに復帰する。
【０１５９】
以上のエラーチェックの動作により、メモリカード９０内に撮影画像がない場合にプリントモードに移行するのを防止できる。
【０１６０】
次に、再生モードにおけるデジタルカメラ１の各状態において、プリントボタン１３が押下された場合の処理を、図２４に記載される各項目(１)〜(６)毎に説明する。
【０１６１】
(１)再生モードのメニュー画面（以下では「再生メニュー」ともいう）を表示中において、プリントボタン１３が押下されると、直ちにプリント設定画面Ｇｐ(図７)に移行する。
【０１６２】
(２)スライドショーの途中において、プリントボタン１３が押下されると、スライドショーを中断してプリント設定画面Ｇｐに移行する。
【０１６３】
(３)動画再生の途中において、プリントボタン１３が押下されると、動画再生を中断し、現在再生している動画の次のコマ(静止画)を表示するプリント設定画面Ｇｐに移行する。これは、動画はプリントの指定を行えないためである。なお、次の静止画が存在しない場合には、動画の前のコマ(静止画)を表示する。
【０１６４】
(４)コマ送りや拡大表示、画像処理等によるファイルアクセス(読み出し)の途中において、プリントボタン１３が押下されると、ファイルアクセスを中断して、プリント設定画面Ｇｐに移行する。なお、モードの遷移が途中の場合には、データ読み出しを優先する。
【０１６５】
(５)画像処理やコピー、削除、プロテクトの設定、プリント注文ファイルの更新等によるファイルアクセス(書き込み)の途中において、プリントボタン１３が押下されても無視する。これは、ファイルが壊れるのを防止するためである。
【０１６６】
(６)アフレコ(After Recording)の途中において、プリントボタン１３が押下されると、アフレコを中断して、中断前までの音声記録が完了した後に、アフレコの対象となっているコマのプリント設定画面Ｇｐに移行する。
【０１６７】
図２５および図２６は、再生モードにおけるデジタルカメラ１の動作を説明するための図である。これらの図において、参照符号がＧＮで始まるブロックはデジタルカメラの状態を示しており、参照符号がＳＴで始まるブロックは、デジタルカメラ１の処理を示している。
【０１６８】
図２５に示すように動画モードが設定される状態ＧＮ６１においてモード切替ボタン１１が押下されると、メモリカード９０に撮影画像が保存されているかを判定する処理ＳＴ６１を行う。この処理ＳＴ６１で、撮影画像が保存されている場合には、コマ番号が一番大きな画像を指定して画像ファイルを読み出す処理ＳＴ６３を行い、読み出しが完了すると、このコマ番号の画像を表示する再生モードに設定された状態ＧＮ３３に遷移する。なお、処理ＳＴ６３が行われている最中にプリントボタン１３が押下される場合でも無視して読み出し処理を継続する。
【０１６９】
一方、処理ＳＴ６１において撮影画像が保存されていない場合には、「メモリカードに画像がありません」という警告表示する状態ＧＮ６２に移行し、２秒後に動画モードに設定された状態ＧＮ６１に遷移する。なお、この状態ＧＮ６２において、プリントボタン１３が押下されても無視することとする。
【０１７０】
再生モードに設定された状態ＧＮ３３において、左ボタン７ｃ（または右ボタン７ｄ）が押下されると、前（または後）のコマ番号の画像を指定して画像ファイルを読み出す処理ＳＴ６４を行い、処理ＳＴ６４が完了すると、読み出された画像ファイルを表示する再生モードに設定された状態ＧＮ３３に遷移する。この処理ＳＴ６４において、プリントボタン１３が押下されると、画像ファイルの読み出しを中断して読み出し処理直前の画像を表示するプリントモードに設定された状態ＧＮ３７に遷移する。
【０１７１】
再生モードに設定された状態ＧＮ３３において、モード切替ボタン１１が押下される場合には、１コマ撮影モードに設定された状態ＧＮ３５に遷移する。また、状態ＧＮ３３において、サムネイルの形態で画像が表示されている場合に動画のコマを指定して実行（中央）ボタン７ｅを押下すると、指定されたコマの動画再生を行う状態ＧＮ３６に移行する。この状態ＧＮ３６においてプリントボタン１３が押下されると、次のコマ番号の静止画を表示するプリントモードが設定される状態ＧＮ３９に遷移する。
【０１７２】
再生モードに設定された状態ＧＮ３３において、メニューボタン８ａが押下されると、図２６に示す再生モードのメニュー画面が表示される状態ＧＮ３４に遷移する。ここで、メニューボタン８ａが押下される場合には、図２５に示す再生モードに設定された状態ＧＮ３３に復帰する。
【０１７３】
図２６に示すように再生メニューの表示状態ＧＮ３４において、メニュー項目である「プロテクト」を選択して実行(中央)ボタン７ｅが押下された場合には、プロテクトの設定処理ＳＴ６５を行い、プロテクト設定が完了した場合には、再生メニューの表示状態ＧＮ３４に復帰する。このプロテクト設定処理ＳＴ６５の最中においてプリントボタン１３が押下された場合でも無視してプロテクト設定を継続する。
【０１７４】
また、再生メニューの表示状態ＧＮ３４において、メニュー項目である「アフレコ」を選択して実行(中央)ボタン７ｅが押下された場合には、再生画像と音声記録のプログレスバーとを表示する状態ＧＮ４０に遷移する。この状態ＧＮ４０において、アフレコが終了すると、アフレコ音声ファイルをメモリカード９０内に作成して、画像ファイルと関連付けする処理ＳＴ６６を行う。そして、アフレコ音声ファイルの作成が完了すると、再生メニューを表示する状態ＧＮ３４に移行する。一方、状態ＧＮ４０において、プリントボタン１３が押下される場合には、アフレコを中断し、中断までの音声ファイルを作成して再生画像の画像ファイルと関連付けする処理ＳＴ６８を行って、この再生画像を表示するプリントモードに設定された状態ＧＮ３７(図２５)に移行する。
【０１７５】
また、図２６に示す再生メニューの表示状態ＧＮ３４において、メニュー項目である「フォーマット」を選択して実行(中央)ボタン７ｅが押下された場合には、フォーマットを実行する処理ＳＴ６７を行い、フォーマットが完了した場合には、再生メニューの表示状態ＧＮ３４に復帰する。このフォーマット処理ＳＴ６７の最中においてプリントボタン１３が押下された場合でもこれを無視してフォーマット処理を継続する。
【０１７６】
また、再生メニューの表示状態ＧＮ３４において、メニュー項目である「スライドショー」を選択して実行ボタン７ｅが押下された場合には、スライドショーを実行する状態ＧＮ３８に移行する。この状態ＧＮ３８においてスライドショーが終了した場合、およびメニューボタン８ａが押下された場合には、再生メニューの表示状態ＧＮ３４に復帰する。また、状態ＧＮ３８において、プリントボタン１３が押下された場合には、プリント設定画面を表示するプリントモードに設定された状態ＧＮ３７(図２５)に遷移する。
【０１７７】
また、図２６に示す再生メニューの表示状態ＧＮ３４において、プリントボタン１３が押下された場合には、プリント設定画面を表示するプリントモードに設定された状態ＧＮ３７(図２５)に移行する。
【０１７８】
以上では再生モードとプリントモードとの関係を説明したが、以下では、再生モード以外の撮影モード、具体的には１コマ撮影モード、連写モードおよび動画モードにおけるデジタルカメラ１の各状態において、プリントボタン１３が押下された場合の処理を、図２７に記載される各項目(１)〜(８)毎に説明する。
【０１７９】
(１)ライブビュー表示中において、プリントボタン１３が押下されると、直ちにプリント設定画面Ｇｐ(図７)に移行する。ただし、ライブビューにおいてＡＥ評価値が取得される場合には、これを破棄する。
【０１８０】
(２)シャッターボタン９が半押し（Ｓ１状態）されてＡＦが行われる最中において、プリントボタン１３が押下されると、撮影レンズ２におけるＡＦレンズの駆動を中断して、直ちにプリント設定画面Ｇｐに移行する。
【０１８１】
(３)シャッターボタン９が半押し（Ｓ１状態）されＡＦが完了した後において、プリントボタン１３が押下されると、取得したＡＦ評価値を破棄して、直ちにプリント設定画面Ｇｐに移行する。
【０１８２】
(４)シャッターボタン９が全押し（Ｓ２状態）された後で、撮影画像の記録途中または連写の谷間においては、プリントボタン１３の押下により、ファイルアクセス（書き込み）が完了する前にプリント設定画面Ｇｐに移行する。このプリント設定画面では、ＲＡＭ５０ａに格納される撮影画像を表示するとともに、撮影画像のメモリカード９０への記録をバックグラウンドで並列して行う。
【０１８３】
(５)シャッターボタン９が全押し（Ｓ２状態）された後で、撮影された画像がＬＣＤ５に表示されるアフタービュー表示中（「記録する」／「記録しない」の選択肢が表示される状態）においては、プリントボタン１３の押下によってアフタービュー表示されている画像を記録し、記録完了後にプリント設定画面Ｇｐに移行する。
【０１８４】
(６)セルフタイマー動作中において、プリントボタン１３が押下されると、セルフタイマーをキャンセルして、プリントモードに移行する。
【０１８５】
(７)撮影モードのメニュー画面（以下では「撮影メニュー」ともいう）の表示中において、プリントボタン１３が押下されると、直ちにプリント設定画面Ｇｐに移行する。
【０１８６】
(８)動画モードの動画撮影中において、プリントボタン１３が押下されると、動画撮影を終了させて、プリント設定画面Ｇｐに移行する。このプリント設定画面では、撮影された動画を表示せず、前のコマの静止画を表示する。
【０１８７】
以下では、１コマ撮影モード、連写モードおよび動画モードにおけるデジタルカメラ１の動作を、それぞれ説明する。
【０１８８】
図２８は、１コマ撮影モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０１８９】
１コマ撮影モードに設定され、ライブビュー表示が行われている状態ＧＮ４１において、シャッターボタン９が半押しされる場合には、ＡＦ・ＡＥ・ＡＷＢの各処理ＳＴ７１を行い、この処理が完了するとＡＦ・ＡＥ・ＡＷＢ評価値が取得された状態ＧＮ４２に移行する。そこで、１コマ撮影モードに設定された状態ＧＮ４１またはＡＦ・ＡＥ・ＡＷＢの処理ＳＴ７１中において、プリントボタン１３が押下されると、図２３に示す動作と同様のエラーチェック処理ＳＴ７４を行って、プリントモードに移行する。
【０１９０】
また、１コマ撮影モードに設定された状態ＧＮ４１において、メニューボタン８ａが押下されると、後述する撮影メニューが表示される状態に遷移する。
【０１９１】
ＡＦ・ＡＥ・ＡＷＢ評価値の取得状態ＧＮ４２において、プリントボタン１３が押下されると、ＡＦ・ＡＥ・ＡＷＢ評価値を破棄する処理ＳＴ７２を行った後にエラーチェックの処理ＳＴ７４を行う。一方、状態ＧＮ４２において、シャッターボタン９が全押しされると、セルフタイマーが設定されているかを判定する処理ＳＴ７３を行う。ここで、セルフタイマーが設定されている場合には、セルフタイマーカウント中の状態ＧＮ４３に移行する。一方、セルフタイマーが設定されていない場合には、露光し、撮影画像データをＲＡＭ５０ａに格納して画像処理を行う状態ＧＮ４４に移行する。
【０１９２】
セルフタイマーカウント中の状態ＧＮ４３において、プリントボタン１３が押下されると、セルフタイマーをキャンセルしてエラーチェックの処理ＳＴ７４に移行する。一方、状態ＧＮ４３において、カウントアップすると、露光などを行う状態ＧＮ４４に移行する。
【０１９３】
露光などを行う状態ＧＮ４４において、プリントボタン１３が押下されても無視して、露光などの処理を継続する。また、状態ＧＮ４４において、画像処理が完了すると、アフタービューが設定されているかを判定する処理ＳＴ７５に移行する。
【０１９４】
判定処理ＳＴ７５において、アフタービューが設定されている場合には、サムネイル画像データＳＤ(図４)に関する表示用のサムネイル画像を生成する処理ＳＴ７６を行って撮影画像に関するサムネイル画像を表示する状態ＧＮ４５に移行する。一方、判定処理ＳＴ７５において、アフタービューが設定されていない場合には、メモリカード９０に対する撮影画像の記録処理ＳＴ７９を行った後に１コマ撮影モードに設定された状態ＧＮ４１に移行してライブビュー表示を行う。なお、記録処理ＳＴ７９の最中にプリントボタン１３が押下される場合には、書き込みが完了する前であっても直ちにプリントモードに移行する。
【０１９５】
サムネイル画像の表示状態ＧＮ４５において、プリントボタン１３が押下された場合には、メモリカード９０に対する撮影画像の記録処理ＳＴ７７を行って、プリントモードに移行する。
【０１９６】
また、サムネイル画像の表示状態ＧＮ４５において、一定時間（例えば３秒）の間にユーザの操作がない場合や、画像記録がユーザによって選択された場合には、記録処理ＳＴ７９に移行する。
【０１９７】
また、サムネイル画像の表示状態ＧＮ４５において、画像の削除が選択された場合には、ＲＡＭ５０ａ内の撮影画像データをクリアして１コマ撮影モードの設定画面ＧＮ４１に移行してライブビュー表示を行う。
【０１９８】
図２９は、連写モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０１９９】
連写モードに設定され、ライブビュー表示が行われている状態ＧＮ５１において、シャッターボタン９が半押しされる場合には、ＡＦ・ＡＥ・ＡＷＢの各処理ＳＴ８１を行い、この処理が完了するとＡＦ・ＡＥ・ＡＷＢ評価値が取得された状態ＧＮ５２に移行する。そして、連写モードに設定された状態ＧＮ５１またはＡＦ・ＡＥ・ＡＷＢの処理ＳＴ８１中において、プリントボタン１３が押下されると、図２３に示す動作と同様のエラーチェック処理ＳＴ８３を行って、プリントモードに移行する。
【０２００】
ＡＦ・ＡＥ・ＡＷＢ評価値の取得状態ＧＮ５２において、プリントボタン１３が押下されると、ＡＦ・ＡＥ・ＡＷＢ評価値を破棄する処理ＳＴ８２を行った後にエラーチェックの処理ＳＴ８３を行う。一方、状態ＧＮ５２において、シャッターボタン９が全押しされると、露光し、撮影画像データをＲＡＭ５０ａに格納して画像処理を行う状態ＧＮ５３に移行する。
【０２０１】
露光などを行う状態ＧＮ５３においては、プリントボタン１３が押下されても無視して、露光などの処理を継続する。また、状態ＧＮ５３において、画像処理が完了すると、ＲＡＭ５０ａに空き容量がないかを判定する処理ＳＴ８４に移行する。また、状態ＧＮ５３において、シャッターボタン９がオフされた場合には、メモリカード９０に対する記録処理ＳＴ８５を行った後に、状態ＧＮ５１に移行してライブビュー表示を行う。
【０２０２】
判定処理ＳＴ８４において、ＲＡＭ５０ａに空き容量がない場合には、画像処理および記録処理を継続する状態ＧＮ５４に移行する。一方、ＲＡＭ５０ａに空き容量がある場合には、露光などを行う状態ＳＴ５３に遷移する。
【０２０３】
状態ＧＮ５４において、シャッターボタン９が全押しされている場合には、空き容量をチェックする判定処理ＳＴ８４に移行する。一方、シャッターボタン９がオフされた場合には、メモリカード９０に対する撮影画像の記録処理ＳＴ８５に移行する。
【０２０４】
状態ＧＮ５４、または記録処理ＳＴ８５の最中においてプリントボタン１３が押下された場合には、プリントモードに移行する。
【０２０５】
図３０は、動画モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０２０６】
動画モードに設定され、ライブビュー表示が行われている状態ＧＮ６１において、シャッターボタン９が半押しされる場合には、ＡＦ・ＡＥ・ＡＷＢの各処理ＳＴ９１を行い、この処理が完了するとＡＦ・ＡＥ・ＡＷＢ評価値が取得された状態ＧＮ６２に移行する。そして、動画モードに設定された状態ＧＮ６１またはＡＦ・ＡＥ・ＡＷＢの処理ＳＴ９１中において、プリントボタン１３が押下されると、プリントモードに移行する。
【０２０７】
ＡＦ・ＡＥ・ＡＷＢ評価値の取得状態ＧＮ６２において、プリントボタン１３が押下されると、ＡＦ・ＡＥ・ＡＷＢ評価値を破棄する処理ＳＴ９２を行った後にプリントモードに遷移する。一方、状態ＧＮ６２において、シャッターボタン９が全押しされると、露光し、撮影画像データをＲＡＭ５０ａに格納して画像処理を行う状態ＧＮ６３に移行する。この状態ＧＮ６３においてプリントボタン１３が押下される場合には、プリントモードに移行することとなる。
【０２０８】
上記の状態ＧＮ６３において、画像処理が完了すると、メモリカード９０に対する１フレーム分の記録処理を行う状態ＧＮ６４に遷移する。その後に、メモリカード９０に空き容量の有無を判定する処理ＳＴ９３に移行する。なお、状態ＧＮ６４においてプリントボタン１３が押下される場合には、プリントモードに移行する。
【０２０９】
上記の状態ＧＮ６４において、動画を構成するフレーム毎の記録処理を繰り返すことによって動画データが生成されることとなる。
【０２１０】
また、状態ＧＮ６３において、シャッターボタン９が再度全押しされた場合には、メモリカード９０に対する１フレーム分の記録処理を行う状態ＧＮ６５に遷移した後に、メモリカード９０に対する動画撮影ファイルの記録終了処理ＳＴ９４を行う。
【０２１１】
判定処理ＳＴ９３において、メモリカード９０に空き容量がある場合には、状態ＧＮ６３に移行する。一方、空き容量がない場合には、記録終了処理ＳＴ９４に移行する。
【０２１２】
この記録終了処理ＳＴ９４では、動画撮影された画像データにヘッダー等が付加され動画ファイルとしてメモリカード９０に記録され、この処理ＳＴ９４が完了すると、動画モードに設定された状態ＧＮ６１に移行してライブビュー表示が行われる。なお、記録終了処理ＳＴ９４の最中にプリントボタン１３が押下されると、プリントモードに遷移する。
【０２１３】
図３１および図３２は、撮影メニューに関するデジタルカメラ１の動作を説明するための図である。これらの図において、参照符号がＧＮで始まるブロックはデジタルカメラの状態を示しており、参照符号がＳＴで始まるブロックは、デジタルカメラ１の処理を示している。
【０２１４】
１コマ撮影モードでメニューボタン８ａが押下されると、撮影メニューを表示する状態ＧＮ７１に遷移するが、この撮影メニュー画面においては上ボタン７ａまたは下ボタン７ｂの押下によって、状態ＧＮ７２や状態ＧＮ７３のように選択項目を変更できる。
【０２１５】
「音声記録」が選択された状態ＧＮ７２において、実行(中央)ボタン７ｅが押下されると、音声の記録可能時間を表示する状態ＧＮ７４に遷移する。
【０２１６】
この状態ＧＮ７４において、プリントボタン１３が押下されると、音声記録前の撮影画像が表示されるプリントモードに移行する。
【０２１７】
また、状態ＧＮ７４において、シャッターボタン９が押下されると、音声記録の開始処理ＳＴ１０１を行って、記録中である旨の表示とともにプログレスバーの表示を行う状態ＧＮ７６に遷移する。この状態ＧＮ７６において、シャッターボタン９が押下されると、音声記録終了の処理ＳＴ１０２を行って、状態ＧＮ７２に遷移する。一方、状態ＧＮ７６において、プリントボタン１３が押下されると音声記録終了の処理ＳＴ１０３を行って、プリントモードに移行する。
【０２１８】
「インターバル撮影」が選択された状態ＧＮ７３において、実行(中央)ボタン７ｅが押下されると、ライブビュー表示が行われる状態ＧＮ７５(図３２)に遷移する。この状態ＧＮ７５においてプリントボタン１３が押下されるとプリントモードに移行することとなる。
【０２１９】
このライブビュー表示状態ＧＮ７５において、シャッターボタン９が半押しされる場合には、ＡＦ・ＡＥ・ＡＷＢの各処理ＳＴ１０４を行い、この処理が完了するとＡＦ・ＡＥ・ＡＷＢ評価値が取得された状態ＧＮ７７に移行する。
【０２２０】
この状態ＧＮ７７において、プリントボタン１３が押下されると、ＡＦ・ＡＥ・ＡＷＢ評価値を破棄する処理ＳＴ１０５を行った後にプリントモードに遷移する。
【０２２１】
また、状態ＧＮ７７において、シャッターボタン９が全押しされると、露光し、撮影画像データをＲＡＭ５０ａに格納して画像処理・記録処理を行う状態ＧＮ７８に遷移する。なお、この状態ＧＮ７８においてプリントボタン１３が押下されても無視して処理が継続される。これにより、撮影時に誤ってプリントボタン１３に触れても撮影が中断されることがなくなる。
【０２２２】
上記の状態ＧＮ７８において、画像処理が完了すると、メモリカード９０の空き容量の有無を判定する処理ＳＴ１０６に移行する。この判定処理ＳＴ１０６において、メモリカード９０に空き容量がない場合には、「メモリカードの残り容量がありません」という警告表示を行う状態ＧＮ７９に遷移する。そして、この状態７９においてプリントボタン１３が押下される場合には、プリントモードに移行する。
【０２２３】
一方、判定処理ＳＴ１０６において、メモリカード９０に空き容量がある場合には、インターバルタイマーのカウント中の状態ＧＮ８０に遷移した後に、タイマーのカウントアップを判定する処理ＳＴ１０７に移行する。なお、状態ＧＮ８０において、プリントボタン１３が押下された場合には、タイマーカウントをリセットしてプリントモードに移行することとなる。これにより、インターバル撮影の中断とプリント指定とを一度に行うことができる。
【０２２４】
判定処理ＳＴ１０７において、タイマーがカウントアップしていない場合には、状態ＧＮ８０に移行する。一方、カウントアップした場合には、状態ＧＮ７８に戻る。
【０２２５】
以上のデジタルカメラ１の動作によって、プリントボタン１３の押下によってプリントモードに移行するとともに、プリント設定モードに対応した機能をボタン群７、８に割当てるため、プリント注文の設定を行う場合に操作性を向上できる。
【図面の簡単な説明】
【０２２６】
【図１】本発明の実施形態に係るデジタルカメラの外観構成を示す図である。
【図２】デジタルカメラの外観構成を示す図である。
【図３】デジタルカメラの内部構成を示す図である。
【図４】メモリカードのデータ配列を示す図である。
【図５】プリント注文ファイルを説明するための図である。
【図６】プリント注文ファイルを説明するための図である。
【図７】プリント設定画面を説明するための図である。
【図８】プリント設定画面を説明するための図である。
【図９】プリントモードにおける動作を説明するための図である。
【図１０】プリントモードにおける動作を説明するための図である。
【図１１】プリントモードにおける動作を説明するための図である。
【図１２】プリントモードにおける動作を説明するための図である。
【図１３】拡大プリントプレビュー画面を説明するための図である。
【図１４】プリント注文記録の動作を示すフローチャートである。
【図１５】プリントメニュー画面を説明するための図である。
【図１６】プリントメニュー画面に表示される各項目を説明するための図である。
【図１７】プリント合計枚数に関する表示を説明するための図である。
【図１８】プリント初期設定の動作を説明するための図である。
【図１９】プリント合計枚数表示設定の動作を説明するための図である。
【図２０】プリント合計枚数表示設定の動作を説明するための図である。
【図２１】デジタルカメラの基本的な動作を示す状態遷移図である。
【図２２】プリントモードと他の４種類のモードとの関係を説明するための図である。
【図２３】エラーチェックの動作を示すフローチャートである。
【図２４】再生モードにおけるデジタルカメラの各状態においてプリントボタンが押下された場合の処理を説明するための図である。
【図２５】再生モードにおけるデジタルカメラの動作を説明するための図である。
【図２６】再生モードにおけるデジタルカメラの動作を説明するための図である。
【図２７】撮影モードにおけるデジタルカメラの各状態においてプリントボタンが押下された場合の処理を説明するための図である。
【図２８】１コマ撮影モードにおけるデジタルカメラ１の動作を説明するための図である。
【図２９】連写モードにおけるデジタルカメラ１の動作を説明するための図である。
【図３０】動画モードにおけるデジタルカメラ１の動作を説明するための図である。
【図３１】撮影メニューに関するデジタルカメラ１の動作を説明するための図である。
【図３２】撮影メニューに関するデジタルカメラ１の動作を説明するための図である。
【符号の説明】
【０２２７】
１  デジタルカメラ
５  液晶表示部（ＬＣＤ）
７ａ  上ボタン
７ｂ  下ボタン
７ｃ  左ボタン
７ｄ  右ボタン
７ｅ  中央(実行)ボタン
８ａ  メニューボタン
８ｂ  液晶モニタボタン(削除ボタン)
８ｃ  フラッシュモードボタン(保留ボタン)
９  シャッターボタン
１１  モード切替ボタン
１３  プリントボタン
５０  全体制御部
５０ａ  ＲＡＭ
５０ｂ  ＲＯＭ
９０  メモリカード
Ｇｐ  プリント設定画面
Ｇｐｍ  プリントメニュー画面
Ｇｐｗ  拡大プリントプレビュー画面
Ｐｆ  プリント注文ファイル
ＴＢ  プリント単価テーブル
【図１】
2005217616.tif 000003
【図２】
2005217616.tif 000004
【図３】
2005217616.tif 000005
【図４】
2005217616.tif 000006
【図５】
2005217616.tif 000007
【図６】
2005217616.tif 000008
【図７】
2005217616.tif 000009
【図８】
2005217616.tif 000010
【図９】
2005217616.tif 000011
【図１０】
2005217616.tif 000012
【図１１】
2005217616.tif 000013
【図１２】
2005217616.tif 000014
【図１３】
2005217616.tif 000015
【図１４】
2005217616.tif 000016
【図１５】
2005217616.tif 000017
【図１６】
2005217616.tif 000018
【図１７】
2005217616.tif 000019
【図１８】
2005217616.tif 000020
【図１９】
2005217616.tif 000021
【図２０】
2005217616.tif 000022
【図２１】
2005217616.tif 000023
【図２２】
2005217616.tif 000024
【図２３】
2005217616.tif 000025
【図２４】
2005217616.tif 000026
【図２５】
2005217616.tif 000027
【図２６】
2005217616.tif 000028
【図２７】
2005217616.tif 000029
【図２８】
2005217616.tif 000030
【図２９】
2005217616.tif 000031
【図３０】
2005217616.tif 000032
【図３１】
2005217616.tif 000033
【図３２】
2005217616.tif 000034